(57)【要約】      （修正有）【課題】介護に関わる各法人で、高齢者介護マーケットを構築し、そこでできる大きな需要をもとにメーカーに介護商品を開発させ、高齢者が安く購入できるサービスを提供する。【解決手段】開発が進んでいなかった高齢者専用の商品開発協議をメーカーと行い、確定した大きな需要がある事で、安価で完成した商品を介護に関わる各法人が仕入れ、高齢者の方が他商品とさほど変わらない価格でより自分の体に適した高齢者専用商品を購入できると共にその商品利益が実際サービスを受けている法人に行く事でより充実したサービスを受ける事ができる。また、介護に関わる各法人は、大きな需要がある事で、安価で完成した高齢者専用商品を高齢者の方に購入して頂く事により新たな利益を得る事で人材の確保、従業員の給料、備品の購入、設備投資などに力を入れる事ができ、従来と比べより充実した介護サービスを高齢者の方に提供する事ができる。【選択図】図１
2010182278.tif 000002
【特許請求の範囲】
【請求項１】
介護に携わる各法人で構築された図１−１の高齢者介護マーケット
【請求項２】
請求項１の高齢者介護マーケットで出来る大きな需要を使い、各メーカーに対し従来開発が進んでいなかった分野の高齢者専用新商品開発協議を行い、大きな需要があることで、安価で完成する新商品を図１−２の介護に関わる各法人が仕入れ、図１−４の高齢者の方がより自分に適した商品を安価で購入、使用出来ると共に図１−２の介護に関わる各法人は新たな利益を得る事で、より充実した介護サービスを提供できるビジネスモデル
【請求項３】
請求項１、請求項２の完成に向け高齢者介護マーケットの拡大やメーカーとの高齢者専用新商品開発協議、商品輸送会社との協議などの全ての業務を執り行う図１−５のプロジェクト構築法人
【発明の詳細な説明】
【技術分野】
【０００１】  本発明は、高齢者介護マーケットの構築及び、介護に関わる商品開発及び物流システムに関するものである。
【背景技術】
【０００２】  従来の介護商品は値段が高く又様々な分野で高齢者用の商品が開発されていないのが現状であった。また介護に関わる法人の利益率が他業種に比べ低く人材の確保、設備投資などの点で、より良い介護サービスの提供が難しくなっていた。
【発明の開示】
【発明が解決しようとする課題】
【０００３】  従来の介護商品は値段が高く又様々な分野で高齢者用の商品開発がされていないため高齢者の方に対しより良い介護商品を使用して頂き難かった。又、介護に関わる法人の利益率が他業種に比べ低く人材の確保、設備投資などの点で、より良い介護の提供が難しくなっている。また、介護に関わる法人の従業員の給料水準が、他業種と比べ低いのが現状である。本考案は、前述の欠点を解決しようとするものである。
【課題を解決するための手段】
【０００４】  本考案は、介護に関わる法人で高齢者介護マーケットを構築し、そのマーケットの需要者人数をメーカーに説明した上で、高齢者専用商品を開発して頂く、開発された新商品を各法人が仕入れ、高齢者の方に購入して頂く。
【発明の効果】
【０００５】  高齢者介護マーケットを構築する事で、商品開発メーカーは、大きな仕入れ先が決定している事で高齢者専用商品を安価で製作する事ができる。介護に関わる各法人は、高齢者介護マーケットがある事で、高齢者専用商品を安価で仕入れる事ができその商品を高齢者の方に購入して頂く事により新たな利益を獲得する事ができ、人材の確保、従業員の給料、設備投資などに力を入れる事ができる為、より良い介護を提供する事ができる。また、高齢者の方は、高齢者介護マーケットがある事で、より自分に適した商品を安価で購入する事ができる。また購入した利益が介護サービスを受けている法人にいく事で従来と比べ、より良いサービスを受ける事ができる。
【発明を実施するための最良の形態】
【０００６】  以下、本発明の実施の形態を図１に基づいて説明する。【０００７】  図１は、高齢者及び介護に関わる商品開発及び物流システムのビジネスモデルの全容であるが、まず介護に関わる各法人で高齢者介護マーケットを構築し、その後各種メーカーに対し従来に開発されていなかった又は、開発が進んでいなかった分野の高齢者専用商品の開発を促し、開発された高齢者専用商品を安価で介護に関わる各法人が仕入れ、最終的に各法人に介護サービスを受けている高齢者の方に安価で従来と比べより自分に適した物を購入して頂き使用してもらう事によって、メーカーは、売り先が決定している事及び年齢層が確定している事により、従来に比べ高齢者の方に安価でより良い商品を開発する事ができる。介護に関わる各法人は、新たな利益を得る事により、人材の確保や従業員の給料、設備投資などに力を入れる事ができ、従来より充実した介護サービスを高齢者の方に提供する事ができる。高齢者の方は、マーケットがある為、従来に比べより自分に適した商品を安価で使用する事ができると共に商品の利益がサービスを受けている各法人に行くために、従来と比べより良い介護サービスを受ける事ができる。そしてマーケットの構築からメーカーとの開発協議、介護に関わる各法人への商品の物流システムの構築などの作業をする高齢者及び介護に関わる商品開発及び物流システムの構築法人を存在させる事により、トラブルの少ないプロジェクトが可能になる。
図１−１は、高齢者介護マーケットであるが、図１−２の介護関連法人が参加する事によりできるマーケットである。図１−３は、図１−１に大きな需要がある事で安価でより高齢者によい商品を開発する事が出来る各商品開発メーカーである。図１−４は、実際に商品を購入し、使用する高齢者である。図１−５は、このプロジェクトを円滑かつ迅速にスタート及び継続させる為に、関係各所と密な連係を取合うプロジェクト構築法人である。図１−１がある事で、安価で、図１−３で完成した商品を図１−５を経て図１−２に輸送し、図１−４が購入する。図１−２は、高齢者専用商品を図１−４に売却する事で、新たな利益を得る事により人材の確保、従業員の給料、備品の購入、設備投資などに力を入れる事が可能になる事で、従来と比べより充実した介護サービスを提供する事ができる。図１−４は、図１−２から商品を他商品と変わらない価格で購入する事で、より自分に適した商品を使用する事ができると共に、商品利益が実際にサービスを受けている法人に行く事で、従来と比べ、より充実したサービスを受ける事ができる。又、商品自体が安価な為、個人の収入や貯蓄などに関係なく、全ての高齢者の方に購入していただける商品になる。【０００８】  以上のように、本実施形態によれば、高齢者の方は、より良い商品を他商品と変わらない価格、誰にでも購入できる価格で使用する事が出来、より充実した介護サービスを受ける事が可能になる。各介護関連法人は、より充実した介護サービスを高齢者の方に提供する事ができる。メーカーは、今後予想できる超高齢化社会に向けて様々な情報を得る事が出来、利益と共に将来の超高齢化社会に向けたより良い商品開発を進める事ができる。
【実施例】
【０００９】  プロジェクト構築法人が介護関連法人に高齢者介護マーケット参加を促し、マーケットが大きくなった段階で、メーカーに対し高齢者の方により良い商品を安価で開発して頂き、完成した商品を各介護関連法人に輸送し、高齢者の方が従来と比べより良い商品を安価で各介護関連法人から購入する。
【図面の簡単な説明】
【００１０】
【図１】本発明の高齢者及び介護に関わる商品開発及び物流システムのビジネスモデルの全容
【符号の説明】
【００１１】１    高齢者介護マーケット
２    介護関連法人
３    メーカー
４    高齢者
５    プロジェクト構築法人
【図１】
2010182278.tif 000003